(57)【要約】    【課題】精度良くホワイトバランスの適正化が為される表示パネルの駆動装置を提供することを目的とする。    【解決手段】サブフィールド各々のサスティン期間内でのサスティンパルスの印加回数に基づいて第１〜第Ｎ階調各々での輝度レベルを各発光色毎に求め、この輝度レベルと第１〜第Ｎ階調各々とを対応付けて示す階調輝度対応データを各発光色毎に生成する。そして、かかる階調輝度対応データに基づき、入力映像信号によって示される各発光色毎の輝度レベルに対応した階調を決定しこの階調の駆動を実施させる為のデータを、各サブフィールド毎に画素を点灯及び消灯モードの内のいずれの状態に設定するのかを示すサブフィールドデータとして生成する。【選択図】  図５
2008209590.tif 000002
【特許請求の範囲】
【請求項１】
複数の画素が形成されている表示パネルを、入力映像信号に基づくサブフィールドデータ応じて前記画素各々を点灯モード及び消灯モードの内の一方の状態に設定するアドレス期間と、前記画素各々にサスティンパルスを繰り返し印加することにより前記点灯モードの状態にある画素を発光させるサスティン期間とを含むサブフィールドの複数にて駆動することにより、第１〜第Ｎ階調（Ｎ：２以上の整数）の中間輝度を得る表示パネルの駆動装置であって、
前記サブフィールド各々の前記サスティン期間内での前記サスティンパルスの印加回数に基づいて前記第１〜第Ｎ階調各々での輝度レベルを前記画素の発光色毎に求め、この輝度レベルと前記第１〜第Ｎ階調各々とを対応付けて示す階調輝度対応データを各発光色毎に生成する階調輝度測定手段と、
前記階調輝度対応データに基づき、前記入力映像信号によって示される各発光色毎の輝度レベルに対応した階調を決定し、この階調に対応した駆動を実施させる為のデータを前記サブフィールドデータとして生成する輝度階調変換手段と、を有することを特徴とする表示パネルの駆動装置。
【請求項２】
前記画素各々は、赤色、緑色及び青色の内の１の発光色で発光する蛍光体層を備え、
前記階調輝度測定手段は、前記サブフィールド各々の前記アドレス期間の期間長に対応した、各発光色毎の前記蛍光体層における基底状態の初期電子密度に対する復帰率に応じて、前記第１〜第Ｎ階調各々に対応した前記輝度レベルの値を各発光色毎に調整することを特徴とする請求項１記載の表示パネルの駆動装置。
【請求項３】
前記階調輝度測定手段には、前記サブフィールド各々毎に前記アドレス期間の期間長と前記復帰率との対応関係を各発光色毎に示す電子密度復帰率特性データが予め記憶されていることを特徴とする請求項２記載の表示パネルの駆動装置。
【請求項４】
前記階調輝度測定手段は、前記サブフィールド各々毎の前記サスティンパルスの立ち上がり期間に応じて、前記第１〜第Ｎ階調各々に対応した前記輝度レベルの値を各発光色毎に調整することを特徴とする請求項２記載の表示パネルの駆動装置。
【請求項５】
前記階調輝度測定手段は、前記サブフィールド各々毎の前記サスティンパルスの波形形状の変化に応じて、前記第１〜第Ｎ階調各々に対応した輝度レベルの値を各発光色毎に調整することを特徴とする請求項２に記載の表示パネルの駆動装置。
【請求項６】
前記階調輝度測定手段は、各フィールド毎の発光負荷量に応じて、前記第１〜第Ｎ階調各々に対応した輝度レベルの値を各発光色毎に調整することを特徴とする請求項２に記載の表示パネルの駆動装置。
【請求項７】
前記階調輝度測定手段は、前記サブフィールド各々毎の前記サスティンパルスのパルス幅に応じて、前記第１〜第Ｎ階調各々に対応した輝度レベルの値を各発光色毎に調整することを特徴とする請求項２に記載の表示パネルの駆動装置。  
【請求項８】
前記サスティンパルスの個々の波形形状の変化に応じて、前記第１〜第Ｎ階調各々に対応した輝度レベルの値を各発光色毎に調整することを特徴とする請求項５に記載の表示パネルの駆動装置
【請求項９】
前記画素各々は、赤色、緑色及び青色の内の１の発光色で発光する蛍光体層を備え、
前記階調輝度測定手段は、各発光色毎に求めた前記第１〜第Ｎ階調各々に対応した前記輝度レベルのうちの前記第Ｎ階調目に対応する第Ｎ階調輝度レベルが、前記入力映像信号によって示される輝度範囲のうちの最大輝度レベル以上となる様に、前記各発光色毎の前記第１〜第Ｎ階調各々に対応した前記輝度レベルの値に対して正規化処理を施すことを特徴とする請求項１に記載の表示パネルの駆動装置。
【請求項１０】
前記正規化処理は、前記各発光色毎の前記第１〜第Ｎ階調各々に対応した前記輝度レベルの値に対して、各発光色で同一の係数を乗算することを特徴とする請求項９記載の表示パネルの駆動装置。
【請求項１１】
前記画素各々は、赤色、緑色及び青色の内の１の発光色で発光する蛍光体層を備え、
前記階調輝度測定手段は、１フィールド期間中の前記サスティンパルスの全印加回数に基づいてゲイン値を求め、前記１フィールド期間における前記第１〜第Ｎ階調各々に対応した累積サスティンパルス数に前記ゲイン値を乗算することにより、前記第１〜第Ｎ階調各々に対応した前記輝度レベルの値を各発光色毎に求めることを特徴とする請求項１記載の表示パネルの駆動装置。
【請求項１２】
前記ゲイン値は各発光色毎の蛍光体材料の発光特性に基づいて、前記各発光色毎に個別に設定されることを特徴とする請求項１１記載の表示パネルの駆動装置。
【発明の詳細な説明】
【技術分野】
【０００１】
本発明は、単位表示期間毎の画素の発光回数（期間）によって入力映像信号に応じた輝度をＮ階調にて表現する表示パネルの駆動装置に関する。
【背景技術】
【０００２】
現在、薄型で大画面の表示デバイスとして、画素に対応した放電セルがマトリクス状に配列されているプラズマディスプレイパネル（以下、ＰＤＰと称する）を搭載したプラズマディスプレイ装置が製品化されている。この際、ＰＤＰの各放電セルは、放電に伴う点灯状態及び消灯状態の２状態しかもたない。そこで、入力映像信号に応じた中間調の輝度を表現すべく、サブフィールド法を採用してＰＤＰ及びＥＬＤＰの如き表示パネルを階調駆動するようにしている。
【０００３】
サブフィールド法では、入力された映像信号における１フィールド又は１フレーム表示期間（単位表示期間）を、夫々に輝度重みに対応した発光回数が割り当ててある複数のサブフィールドに分割する。そして、各サブフィールドにおいて、以下の如きアドレス行程とサスティン行程とを実施する。アドレス行程では、表示パネルの各画素を入力映像信号に応じて点灯モード及び消灯モードの内の一方の状態に設定する。サスティン行程では、各画素に、そのサブフィールドに予め割り当てられている輝度重みに対応した回数分だけサスティンパルスを印加することにより、点灯モード状態にある画素のみを上記サスティンパルスが印加される度に放電発光させる。かかる駆動方法によれば、単位表示期間内において、各サブフィールドで実行された放電発光の合計回数に応じた中間輝度が視覚されることになる。
【０００４】
又、上記の如きサブフィールド法に従った駆動を実施するプラズマディスプレイ装置として、消費電力の低減を図るべく、入力映像信号によって表される輝度レベルに応じて、単位表示期間内に印加すべきサスティンパルスの総数を変更するようにしたものが知られている（例えば特許文献１参照）。この際、かかるプラズマディスプレイ装置においては、上記の如きサスティンパルスの総数変更に伴って生じるホワイトバランスのズレを補正すべく、このサスティンパルスの総数に応じて、入力映像信号における輝度レベルを各発光色毎に個別に調整するようにしている。
【０００５】
ところが、サスティンパルスの総数と、視覚輝度とが必ずしも比例関係にあるわけではないので、このようなホワイトバランスの調整方法では、そのズレを確実に補正することができなかった。
【特許文献１】特開２００５−２５０５８号公報
【発明の開示】
【発明が解決しようとする課題】
【０００６】
本発明は、かかる問題を解決すべく為されたものであり、精度良くホワイトバランスの適正化が為される表示パネルの駆動装置を提供することを目的とする。
【課題を解決するための手段】
【０００７】
請求項１による表示パネルの駆動装置は、複数の画素が形成されている表示パネルを、入力映像信号に基づくサブフィールドデータ応じて前記画素各々を点灯モード及び消灯モードの内の一方の状態に設定するアドレス期間と、前記画素各々にサスティンパルスを繰り返し印加することにより前記点灯モードの状態にある画素を発光させるサスティン期間とを含むサブフィールドの複数にて駆動することにより、第１〜第Ｎ階調（Ｎ：２以上の整数）の中間輝度を得る表示パネルの駆動装置であって、前記サブフィールド各々の前記サスティン期間内での前記サスティンパルスの印加回数に基づいて前記第１〜第Ｎ階調各々での輝度レベルを前記画素の発光色毎に求め、この輝度レベルと前記第１〜第Ｎ階調各々とを対応付けて示す階調輝度対応データを各発光色毎に生成する階調輝度測定手段と、前記階調輝度対応データに基づき、前記入力映像信号によって示される各発光色毎の輝度レベルに対応した階調を決定し、この階調に対応した駆動を実施させる為のデータを前記サブフィールドデータとして生成する輝度階調変換手段と、を有する。
【発明を実施するための最良の形態】
【０００８】
サブフィールド各々のサスティン期間内でのサスティンパルスの印加回数に基づいて第１〜第Ｎ階調各々での輝度レベルを各発光色毎に求め、この輝度レベルと第１〜第Ｎ階調各々とを対応付けて示す階調輝度対応データを各発光色毎に生成する。そして、かかる階調輝度対応データに基づき、入力映像信号によって示される各発光色毎の輝度レベルに対応した階調を決定しこの階調の駆動を実施させる為のデータを、各サブフィールド毎に画素を点灯及び消灯モードの内のいずれの状態に設定するのかを示すサブフィールドデータとして生成する。
【０００９】
かかる構成により、サブフィールド構造から推定される各階調毎の輝度レベルに基づくホワイトバランスの適正化が為されるようになるので、表現し得る全ての階調に対して精度良くホワイトバランスの適正化が為されるようになる。
【実施例】
【００１０】
図１は、本発明による駆動装置を含むプラズマディスプレイ装置の構成を示す図である。
【００１１】
図１において、プラズマディスプレイパネルとしてのＰＤＰ１０は、放電ガスが封入されている放電空間を挟んで対向配置された前面透明基板及び背面基板（図示せぬ）を備えている。前面透明基板上には２次元画面の横方向（水平方向）に夫々伸張して配列された行電極Ｘ１〜Ｘｎ及び行電極Ｙ１〜Ｙｎが形成されている。これら行電極Ｘ1〜Ｘn及び行電極Ｙ1〜Ｙnは、夫々一対の行電極Ｘi及びＹi(ｉ：1〜n)にて、ＰＤＰ１０における第１〜第ｎ表示ラインを担っている。背面基板上には、行電極Ｘ1〜Ｘn及び行電極Ｙ1〜Ｙn各々と交叉するように、２次元表示画面の縦方向（垂直方向）に夫々伸張して配列された列電極Ｄ１〜Ｄｍが形成されている。上記放電空間を含む各行電極対（Ｘ、Ｙ）と列電極Ｄとの交叉部に、画素としての放電セル（表示セル）Ｐが形成される構造となっている。すなわち、ＰＤＰ１０には、第１行・第１列の放電セルＰ(1,1)〜第ｎ行・第ｍ列の放電セルＰ(n,m)からなる（ｎ×ｍ）個の放電セルＰがマトリクス状に配列されている。
【００１２】
尚、放電セルＰ(1,1)〜Ｐ(n,m)の内で、第（３ｔ−２）列（ｔ：１〜m/3なる整数）に属する放電セル、つまり、第１列、第４列、第７列、・・・、第(ｍ−２)列に属する放電セルＰ内には赤色発光を為す蛍光体が形成されており、放電に伴い赤色の表示光を放出する。又、放電セルＰ(1,1)〜Ｐ(n,m)の内で、第（３ｔ−１）列（ｔ：１〜m/3なる整数）に属する放電セル、つまり、第２列、第５列、第８列、・・・、第(ｍ−１)列に属する放電セルＰ内には緑色発光を為す蛍光体が形成されており、放電に伴い緑色の表示光を放出する。又、放電セルＰ(1,1)〜Ｐ(n,m)の内で、第（３ｔ）列（ｔ：１〜m/3なる整数）に属する放電セル、つまり、第３列、第６列、第９列、・・・、第ｍ列に属する放電セルＰ内には青色発光を為す蛍光体が形成されており、放電に伴い青色の表示光を放出する。
【００１３】
Ａ／Ｄ変換器１は、入力映像信号を各画素（放電セルＰ）毎にその輝度レベルを例えば１０ビットで表す画素データＰＤに変換してフレームメモリ２に供給する。フレームメモリ２は、各画素に対応した画素データＰＤの各々を順次書き込み、その書き込まれた順に画素データＰＤの各々を読み出してＳＦ（サブフィールド）データ生成回路３に供給する。
【００１４】
ＳＦデータ生成回路３は、かかるフレームメモリ２から順次読み出された画素データＰＤに対し、誤差拡散処理及びディザ処理等からなる多階調化処理を施す。更に、ＳＦデータ生成回路３は、この多階調化処理の施された画素データＰＤを、１フレーム表示期間内のサブフィールド各々において、放電セルＰを点灯及び消灯モードの内のいずれの状態に設定するのかを示すＳＦ（サブフィールド）データＧＤに変換してＳＦメモリ４に供給する。この際、ＳＦデータ生成回路３は、ＳＦ（サブフィールド）構築回路１１から供給されたＳＦ構築データＳＦＰＤに従った変換処理（後述する）により、画素データＰＤをＳＦデータＧＤに変換する。
【００１５】
ＳＦメモリ４は、各画素毎のＳＦデータＧＤ各々を順次書き込み、１フレーム分の書き込みが終了する度に、図２に示す如き１フレーム表示期間内のサブフィールドＳＦ１〜ＳＦ１４各々において、以下の如き読み出しを実行する。すなわち、書き込まれている１フレーム分のＳＦデータＧＤ各々を読み出し、各ＳＦデータＧＤがそのサブフィールドで放電セルＰを消灯モードに設定することを示す場合には論理レベル１、点灯モードに設定することを示す場合には論理レベル０のアドレスデータビットＤＢをアドレスドライバ６に供給する。
【００１６】
ＳＦ構築回路１１は、入力映像信号によって表される１フレーム分毎の画像の平均輝度レベルに応じて、図２に示す如き発光駆動シーケンスを構築する為の各種パラメータデータを生成する。かかる発光駆動シーケンスは、１フレーム表示期間を１４個のサブフィールドＳＦ１〜ＳＦ１４に分割し、各サブフィールドにおいてアドレス行程Ｗ及びサスティン行程Ｉを実行させ、先頭のサブフィールドＳＦ１に限り、アドレス行程Ｗに先立ち、リセット行程Ｒを実行させるものである。ＳＦ構築回路１１は、これらサブフィールドＳＦ１〜ＳＦ１４各々のサスティン行程Ｉに対して、そのサブフィールドの輝度重みに対応したサスティンパルスの印加回数ａ１〜ａ１４を以下の如く割り当てる。すなわち、先ず、ＳＦ構築回路１１は、入力映像信号によって表される１フレーム分毎の画像の平均輝度レベルに応じて、１フレーム表示期間内で印加すべきサスティンパルス（後述する）の総数を決定する。この際、ＳＦ構築回路１１は、電力消費の増大を抑えるべく、上記平均輝度レベルが高い場合には低い場合に比して、１フレーム表示期間内で印加すべきサスティンパルスの総数を少なくする。次に、ＳＦ構築回路１１は、かかるサスティンパルスの総数を、各サブフィールドの輝度度重みをもってサブフィールドＳＦ１〜ＳＦ１４各々に分配し、これらをサブフィールドＳＦ１〜ＳＦ１４各々に対応したサスティンパルスの印加回数ａ１〜ａ１４として求める。更に、ＳＦ構築回路１１は、サブフィールドＳＦ１〜ＳＦ１４各々毎に、そのアドレス行程Ｗに費やすべき期間を示すアドレス実行期間情報ＴＷ１〜ＴＷ１４、そのサスティン行程Ｉにおいて印加すべきサスティンパルスが０ボルトからピークレベルに到るまでの期間を示すサス立上期間情報ＴＳ１〜ＴＳ１４を生成する。
【００１７】
そして、ＳＦ構築回路１１は、各サブフィールドＳＦ毎に求めた図３に示す如き、サスティンパルスの印加回数ａ１〜ａ１４、アドレス実行期間情報ＴＷ１〜ＴＷ１４、及びサス立上期間情報ＴＳ１〜ＴＳ１４を示すＳＦ構築データＳＦＰＤをＳＦデータ生成回路３及び駆動制御回路２０に供給する。
【００１８】
駆動制御回路２０は、上記ＳＦ構築データＳＦＰＤに基づいて構築した、図２に示す如き発光駆動シーケンスに従って、ＰＤＰ１０を駆動すべき各種制御信号をパネルドライバ、つまりアドレスドライバ６、Ｘ電極ドライバ７及びＹ電極ドライバ８に供給する。パネルドライバは、駆動制御回路２０から供給された各種制御信号に応じた駆動パルスを生成してＰＤＰ１０の列電極Ｄ、行電極Ｘ及びＹに供給する。
【００１９】
先ず、先頭のサブフィールドＳＦ１のリセット行程Ｒでは、Ｘ電極ドライバ７が、図４に示す如き負極性のリセットパルスＲＰＸを全ての行電極Ｘ１〜Ｘｎに印加すると共に、Ｙ電極ドライバ８が、図４に示す如き正極性のリセットパルスＲＰＹを全ての行電極Ｙ１〜Ｙｎに印加する。これらリセットパルスの印加に応じて、全ての放電セルＰ内においてリセット放電が生起され、全放電セルＰ内には所定量の壁電荷が形成される。これにより、全ての放電セルＰは点灯モードの状態に初期化される。
【００２０】
次に、サブフィールドＳＦ１〜ＳＦ１４各々のアドレス行程Ｗでは、アドレスドライバ６が、ＳＦメモリ４から供給されたアドレスデータビットＤＢの論理レベルに対応したパルス電圧を有する画素データパルスを生成する。例えば、アドレスドライバ６は、アドレスデータビットＤＢが論理レベル１である場合には高電圧、論例レベル０である場合には低電圧の画素データパルスを生成する。そして、アドレスドライバ６は、かかる画素データパルスを１表示ライン分（ｍ個）ずつの画素データパルス群ＤＰとして列電極Ｄ１〜Ｄｍに印加する。更に、アドレス行程Ｗでは、Ｙ電極ドライバ８が、各画素データパルス群ＤＰの印加タイミングと同一タイミングにて、負極性の走査パルスＳＰを行電極Ｙ１〜Ｙｎへと順次印加して行く。この際、走査パルスが印加された行電極と、高電圧の画素データパルスが印加された列電極との交叉部の放電セルＰにのみ選択的に放電が生じ、その放電セルＰ内に残存していた壁電荷が消去され、この壁電荷を失った放電セルＰは消灯モードに設定される。一方、かかる放電が生起されなかった放電セルＰはその直前までの状態（点灯モード又は消灯モード状態）を維持する。
【００２１】
尚、アドレスドライバ６及びＹ電極ドライバ８は、サブフィールドＳＦ１〜ＳＦ１４各々のアドレス行程Ｗでは、上記ＳＦ構築データＳＦＰＤにて示されるアドレス実行期間情報ＴＷ内において全ての放電セルＰに対するアドレス動作が終了するように、走査パルスＳＰ及び画素データパルスのパルス幅を設定する。
【００２２】
次に、サブフィールドＳＦ１〜ＳＦ１４各々のサスティン行程Ｉでは、Ｘ電極ドライバ７及びＹ電極ドライバ８が、図４に示す如きサスティンパルスＩＰを、上記ＳＦ構築データＳＦＰＤにて示される印加回数ａの分だけ繰り返し行電極Ｘ及びＹ各々に交互に印加する。この際、Ｘ電極ドライバ７及びＹ電極ドライバ８は、各サブフィールド毎に、上記ＳＦ構築データＳＦＰＤ中のサス立上期間情報ＴＳにて示される立ち上がり期間ＢＴを有するサスティンパルスＩＰを発生する。かかるサスティンパルスＩＰの印加により、壁電荷が残留したままとなっている放電セルＰ、すなわち点灯モードの状態にある放電セルＰのみが、このサスティンパルスＩＰが印加される度にサスティン放電し、そのサスティン放電に伴う発光状態を維持する。
【００２３】
ここで、図２に示す発光駆動シーケンスによれば、放電セルＰを消灯モードの状態から点灯モードの状態に遷移させることが可能な機会は、先頭サブフィールドＳＦ１のリセット行程Ｒだけである。よって、サブフィールドＳＦ１〜ＳＦ１４各々の内の１のサブフィールドのアドレス行程Ｗにて一旦、放電セルＰが消灯モードに設定されると、それ以降、最後尾のサブフィールドＳＦ１４までの間、かかる放電セルは消灯モード状態に保持される。
【００２４】
すなわち、図２に示す発光駆動シーケンスによると、必ず、先頭のサブフィールドＳＦ１から、放電セルＰが消灯モードの状態に遷移することになるサブフィールドまでの間に存在する連続したサブフィールド各々のサスティン行程Ｉにおいてサスティン放電が生起されることになる。よって、１フレーム表示期間内では、
第１階調：サスティン放電が一切無しのパターン、
第２階調：ＳＦ１のみでサスティン放電が為されるパターン、
第３階調：ＳＦ１及びＳＦ２でサスティン放電が為されるパターン、
第４階調：ＳＦ１〜ＳＦ３でサスティン放電が為されるパターン、
第５階調：ＳＦ１〜ＳＦ４でサスティン放電が為されるパターン、
・
・
・
第１５階調：ＳＦ１〜ＳＦ１４でサスティン放電が為されるパターン、
なる１５通りのパターンにて、各放電セルＰの発光駆動が為される。
【００２５】
この際、１フレーム表示期間内で生起されたサスティン放電の合計回数に対応した輝度が視覚されるので、上述した如き第１〜第１５階調各々に対応した駆動によれば、輝度０〜最高輝度までの輝度範囲を１５段階の中間輝度で表現することが可能となる。
【００２６】
次に、図１に示されるプラズマディスプレイ装置におけるホワイトバランスの適正化動作について説明する。
【００２７】
尚、かかるホワイトバランスの適正化は、ＳＦデータ生成回路３での画素データＰＤからＳＦデータＧＤへの変換処理過程で行われるものであり、入力映像信号における各フレーム毎に実施される。
【００２８】
図５は、ＳＦデータ生成回路３の内部構成を示す図である。
【００２９】
図５に示されるように、ＳＦデータ生成回路３は、階調輝度測定回路３１、輝度リニアリティ演算回路３２、2.2乗演算回路３３、輝度階調変換回路３４及びディザ処理回路３５を含む。
【００３０】
階調輝度測定回路３１は、図６に示す如き、サスティンパルスの印加回数と、放電セルＰから放射される各発光色（赤、緑、青）毎の表示光の輝度レベルとの対応関係を実測値に基づいて数式化した演算処理を実施する輝度変換演算処理部（図示せぬ）を備える。
【００３１】
更に、階調輝度測定回路３１には、図７に示す如き、アドレス実行期間長に対応した電子密度復帰率を各発光色（赤、緑、青）毎に示す電子密度復帰率特性データが予め記憶されている。すなわち、放電セルＰ内の蛍光体特性によると、サスティン放電が連続して生起されると、基底状態の電子密度が徐々に高くなり、その分だけ各サスティン放電に伴って励起される電子の密度が小となるので、１回分のサスティン放電による発光輝度が徐々に低下して行く。これにより、図６に示す如く、サスティンパルスの印加回数が多くなるほど視覚される輝度は高くなるが、その輝度の増加率が低下して行くのである。ところが、互いに隣接するサブフィールドＳＦ各々のサスティン行程Ｉ同士の間には、図２に示す如くアドレス行程Ｗが設けられており、このアドレス行程Ｗの実行期間中はサスティン放電が停止する。よって、その停止期間（アドレス実行期間）の分だけ基底状態の電子の密度が低下する。これにより、次のサスティン行程Ｉの開始時点では、サスティン放電に伴って励起される電子の密度が再び高くなり、各サスティン放電に伴う発光輝度が高くなる。すなわち、サスティン放電の連続生起によって低下してしまった各サスティン放電毎の発光輝度が、アドレス実行期間中において、初期状態、つまり基底状態の電子密度が最低の状態へと推移し、放電に伴う発光輝度が高まり再び元の状態に復帰するのである。階調輝度測定回路３１には、放電セルＰにおける各発光色（赤、緑、青）毎に、このアドレス実行期間長と、上記初期状態への電子密度復帰率との対応関係を示す電子密度復帰率特性データが予め記憶されているのである。
【００３２】
階調輝度測定回路３１は、上記ＳＦ構築データＳＦＰＤ、図６に示す如きサスティンパルスの印加回数と表示光の輝度レベルとの対応関係、並びに図７に示す如き電子密度復帰率特性データに基づき、上記第１〜第１５階調各々で表現されるであろう輝度レベルを各発光色毎に求める。
【００３３】
以下に、階調輝度測定回路３１の階調輝度測定動作について、赤色発光の放電セルＰにおける第１〜第４階調各々での階調輝度を測定する際の動作を抜粋して説明する。
【００３４】
尚、ＳＦ構築データＳＦＰＤによって示されるサブフィールドＳＦ１〜ＳＦ３各々でのサスティンパルス印加回数ａ１〜ａ３各々は、
ａ１：８
ａ２：１２
ａ３：２０
とする。
【００３５】
更に、図７に示す如き電子密度復帰率特性データにより、ＳＦ構築データＳＦＰＤによって示されるサブフィールドＳＦ２及びＳＦ３各々でのアドレス実行期間ＴＷ２及びＴＷ３各々に対応した電子密度復帰率が夫々、
ＴＷ２：0.5
ＴＷ３：0.2
であるとする。
【００３６】
先ず、階調輝度測定回路３１は、図６にて示されるサスティン輝度特性曲線（実線にて示す）中から、サブフィールドＳＦ１に対応した区間を抽出する。すなわち、サブフィールドＳＦ１のサスティン行程Ｉでは８回分のサスティン放電が為されるので、階調輝度測定回路３１は、図６のサスティン輝度特性曲線中から、サスティンパルス印加回数"０"〜"８"に対応したサスティン輝度特性区間Ｖ１を抽出し、これを図８（ａ）に示す如くＳＦ１に対応したサスティン輝度特性曲線データとする。
【００３７】
次に、階調輝度測定回路３１は、図６のサスティン輝度特性曲線中から、サブフィールドＳＦ２に対応した区間を抽出する。このサブフィールドＳＦ２のサスティン行程Ｉでは１２回分のサスティン放電が為される。ところが、ＳＦ２のサスティン行程Ｉでサスティン放電が生起される場合には、必ず、その直前のアドレス行程Ｗを夾んで、サブフィールドＳＦ１のサスティン行程Ｉにおいて８回分のサスティン放電が生起される。そこで、階調輝度測定回路３１は、ＳＦ１のサスティン行程Ｉで生起された第８回目のサスティン放電に伴う視覚輝度と、アドレス行程Ｗでのアドレス実行期間ＴＷ２に基づく電子密度復帰率とを考慮した以下の如き処理を行う。つまり、階調輝度測定回路３１は、ＳＦ１のサスティンパルス印加回数"８"に、アドレス実行期間ＴＷ２の電子密度復帰率"0.5"を乗算して得られた乗算結果"４"をＳＦ２での初期区切り値とする。更に、ＳＦ２でのサスティンパルス印加回数から"１"を減算した"１１"を上記初期区切り値"４"に加算し、その加算結果"１５"をＳＦ２での最終区切り値とする。そして、階調輝度測定回路３１は、図６のサスティン輝度特性曲線中から、サスティンパルス印加回数が"４"（初期区切り値）〜"１５"（最終区切り値）に対応したサスティン輝度特性区間Ｖ２を抽出し、これを図８（ａ）に示す如きＳＦ１に対応したサスティン輝度特性曲線に連結させる。これにより、図８（ｂ）に示す如きＳＦ２に対応したサスティン輝度特性曲線データを得る。
【００３８】
次に、階調輝度測定回路３１は、図６のサスティン輝度特性曲線中から、サブフィールドＳＦ３に対応した区間を抽出する。このサブフィールドＳＦ３のサスティン行程Ｉでは２０回分のサスティン放電が為される。ところが、ＳＦ３のサスティン行程Ｉでサスティン放電が生起される場合には、必ず、その直前のアドレス行程Ｗを夾んで、サブフィールドＳＦ１及びＳＦ２において合計２０回分のサスティン放電が生起される。そこで、階調輝度測定回路３１は、サブフィールドＳＦ１及びＳＦ２を通して生起された第２０回目のサスティン放電に伴う視覚輝度と、ＳＦ３のアドレス行程Ｗでのアドレス実行期間ＴＷ３に基づく電子密度復帰率とを考慮した以下の如き処理を行う。つまり、階調輝度測定回路３１は、ＳＦ１及びＳＦ２でのサスティンパルスの合計印加回数"２０"に、アドレス実行期間ＴＷ３の電子密度復帰率"0.2"を乗算して得られた乗算結果"４"をＳＦ３での初期区切り値とする。更に、ＳＦ３でのサスティンパルス印加回数から"１"を減算した"１９"を上記初期区切り値"４"に加算し、その加算結果"２３"をＳＦ３での最終区切り値とする。そして、階調輝度測定回路３１は、図６のサスティン輝度特性曲線中から、サスティンパルス印加回数が"４"（初期区切り値）〜"２３"（最終区切り値）に対応したサスティン輝度特性区間Ｖ３を抽出し、これを図８（ｂ）に示す如きＳＦ２に対応したサスティン輝度特性曲線に連結させることにより、図８（ｃ）に示す如きＳＦ３に対応したサスティン輝度特性曲線データを得る。このように、アドレス実行期間が長いほど電子密度復帰率が小となり、１回あたりのサスティン放電に伴う発光輝度が、初期状態（基底状態の電子密度が最低の状態での発光輝度）に近づくのである。よって、サブフィールドＳＦ各々でのサスティン輝度特性曲線は、図８（ｃ）に示す如く、各々が、最初は輝度増加率が高くそれを徐々に低下させながら輝度を増加させて行く凸状の形態となる。
【００３９】
すなわち、階調輝度測定回路３１は、図６に示す如き、サスティンパルスの印加回数に対する、放電セルＰから放射される各発光色（赤、緑、青）毎の輝度レベルを、各サブフィールドのアドレス実行期間長に応じた電子密度復帰率に応じて調整するのである。
【００４０】
次に、階調輝度測定回路３１は、ＳＦ構築データＳＦＰＤによって示される各サブフィールド毎のサス立上期間ＴＳ１〜ＴＳ３に基づき、図８（ｃ）に示す如きＳＦ１〜ＳＦ３各々の境界での輝度区切値Ｑ１〜Ｑ３（白丸印にて示す）を夫々レベルシフトする。つまり、サスティンパルスの立ち上がり期間が長くなるほどサスティン放電に伴う発光輝度が低下するので、階調輝度測定回路３１は、サス立上期間ＴＳが大なるほど、そのＴＳに対応した輝度区切値Ｑを低下させるのである。例えば、階調輝度測定回路３１は、サスティンパルスの立ち上がり期間ＴＳ１が所定期間未満である場合には、輝度区切値Ｑ１に係数"１"を乗算し、所定期間以上である場合には０より大であり且つ１未満の係数を輝度区切値Ｑ１に乗算する。尚、階調輝度測定回路３１は、各輝度区切値Ｑのレベルをシフトする代わりに、サスティンパルスの立ち上がり期間に応じて輝度区切値Ｑの位置、つまり、対応するサスティンパルスの印加回数を変更するようにしても良い。例えば、サス立上期間ＴＳ１にて示されるサスティンパルスの立ち上がり期間が所定期間以上である場合には、ＳＦ１のサスティンパルス印加回数"８"に上記係数を乗算し、その乗算結果にて示されるサスティンパルス印加回数に対応したサスティン輝度特性曲線上の位置を新たな輝度区切値Ｑ１とするのである。
【００４１】
階調輝度測定回路３１は、以上の如きサブフィールドＳＦ１〜ＳＦ３に対する処理をＳＦ４〜ＳＦ１４各々に対しても同様に実行することにより、ＳＦ４〜ＳＦ１４各々の境界での輝度区切値Ｑ４〜Ｑ１４を求める。この際、輝度区切値Ｑ１〜Ｑ１４各々が上記第２階調〜第１５階調各々での輝度値となる。階調輝度測定回路３１は、第２〜第１５階調各々に対応した輝度値を、赤色、緑色、青色の各発光色毎に求める。
【００４２】
例えば、階調輝度測定回路３１は、図９において白丸印にて示す如き、赤色発光での第２〜第１５階調各々に対応した輝度値Ｋ１Ｒ〜Ｋ１４Ｒ、緑色発光での第２〜第１５階調各々に対応した輝度値Ｋ１Ｇ〜Ｋ１４Ｇ、青色発光での第２〜第１５階調各々に対応した輝度値Ｋ１Ｂ〜Ｋ１４Ｂを求める。
【００４３】
更に、階調輝度測定回路３１は、上記輝度値Ｋ１Ｇ〜Ｋ１４Ｇに基づき、互いに隣接する階調間を例えば２つのディザステップで区切った際の各ディザステップ毎の輝度値を、緑色発光に対応したディザ輝度値（図９中の白四角印にて示す）として求める。又、階調輝度測定回路３１は、上記輝度値Ｋ１Ｒ〜Ｋ１４Ｒに基づき、互いに隣接する階調間を例えば２つのディザステップで区切った際の各ディザステップ毎の輝度値を、赤色発光に対応したディザ輝度値（図９中の白三角印にて示す）として求める。又、階調輝度測定回路３１は、上記輝度値Ｋ１Ｂ〜Ｋ１４Ｂに基づき、互いに隣接する階調間を２つのディザステップで区切った際の各ディザステップ毎の輝度値を、青色発光に対応したディザ輝度値（図９中の黒四角印にて示す）として求める。
【００４４】
そして、階調輝度測定回路３１は、図９に示す如き、赤色発光に対応した輝度値Ｋ１Ｒ〜Ｋ１４Ｒ（白丸印にて示す）及びそのディザ輝度値（白三角印）を示す階調輝度対応データＫＹＲを輝度リニアリティ演算回路３２に供給する。更に、階調輝度測定回路３１は、図９に示す如き、緑色発光に対応した輝度値Ｋ１Ｇ〜Ｋ１４Ｇ及びそのディザ輝度値（白四角印）を示す階調輝度対応データＫＹＧ、青色発光に対応した輝度値Ｋ１Ｂ〜Ｋ１４Ｂ及びそのディザ輝度値（黒四角印）を示す階調輝度対応データＫＹＢを輝度リニアリティ演算回路３２に供給する。
【００４５】
輝度リニアリティ演算回路３２には、図９に示す如き、白色表示における明度（０〜１００％）に対応した各色毎の輝度値（赤色：実線にて示す、緑色：波線にて示す、青色：一点鎖線にて示す）を示すホワイトバランスデータが予め記憶されている。
【００４６】
尚、図９において、白色明度の１００％とは、画素データＰＤによって表すことが可能な最大輝度の白色を表すものである。又、図９では、白色明度１００％の表示を行う際の赤色発光の輝度値を最大輝度値ＭＸＲ、緑色発光の輝度値を最大輝度値ＭＸＧ、青色発光の輝度値を最大輝度値ＭＸＢにて示している。
【００４７】
ここで、図９に示す如き階調輝度対応データＫＹＲ、ＫＹＧ、及びＫＹＢによると、例え最大輝度階調である第１５階調に対応した駆動を実行しても、表現される輝度値は、白色明度１００％での輝度値（ＭＸＲ、ＭＸＧ、ＭＸＢ）に到らない。
【００４８】
そこで、白色明度１００％の輝度値（ＭＸＲ、ＭＸＧ、ＭＸＢ）を表現可能とすべく、輝度リニアリティ演算回路３２は、階調輝度対応データＫＹＲ、ＫＹＧ及びＫＹＢ各々に対して、以下の如き正規化処理を施す。
【００４９】
先ず、輝度リニアリティ演算回路３２は、以下の如く、最大輝度値ＭＸＧを輝度値Ｋ１４Ｇで除算した値を輝度除算値Ｇ１、最大輝度値ＭＸＲを輝度値Ｋ１４Ｒで除算した値を輝度除算値Ｇ２、最大輝度値ＭＸＢを輝度値Ｋ１４Ｂで除算した値を輝度除算値Ｇ３、として夫々求める。
【００５０】
Ｇ１＝ＭＸＧ／Ｋ１４Ｇ
Ｇ２＝ＭＸＲ／Ｋ１４Ｒ
Ｇ３＝ＭＸＢ／Ｋ１４Ｂ
次に、輝度リニアリティ演算回路３２は、これら輝度除算値Ｇ１〜Ｇ３の内で最も大なる値をゲイン値Ｓとする。尚、図９に示される実施例においては、輝度除算値Ｇ１〜Ｇ３の内で最も大なる値は輝度除算値Ｇ２であるので、これをゲイン値Ｓとする。
【００５１】
次に、輝度リニアリティ演算回路３２は、階調輝度対応データＫＹＲ、ＫＹＧ及びＫＹＢ各々毎に、その階調輝度対応データＫＹによって示される各輝度値Ｋ及びディザ輝度値各々に上記ゲイン値Ｓを乗算することにより、以下の如き階調輝度対応データＲＡＲ、ＲＡＧ及びＲＡＢを生成する。すなわち、輝度リニアリティ演算回路３２は、階調輝度対応データＫＹＲにて示される輝度値Ｋ１Ｒ〜Ｋ１４Ｒ及びそのディザ輝度値（図９の白三角印）各々に上記ゲイン値Ｓを乗算することにより、図１０に示す如き正規化輝度値ＳＫ１Ｒ〜ＳＫ１４Ｒ及びディザ輝度値（図１０の白三角印）を示す階調輝度対応データＲＡＲを生成する。又、輝度リニアリティ演算回路３２は、階調輝度対応データＫＹＧにて示される輝度値Ｋ１Ｇ〜Ｋ１４Ｇ及びそのディザ輝度値（図９の白四角印）各々に上記ゲイン値Ｓを乗算することにより、図１０に示す如き正規化輝度値ＳＫ１Ｇ〜ＳＫ１４Ｇ及びディザ輝度値（図１０の白四角印）を示す階調輝度対応データＲＡＧを生成する。又、輝度リニアリティ演算回路３２は、階調輝度対応データＫＹＢにて示される輝度値Ｋ１Ｂ〜Ｋ１４Ｂ及びそのディザ輝度値（図９の黒四角印）各々に上記ゲイン値Ｓを乗算することにより、図１０に示す如き正規化輝度値ＳＫ１Ｂ〜ＳＫ１４Ｂ及びディザ輝度値（図１０の黒四角印）を示す階調輝度対応データＲＡＢを生成する。
【００５２】
すなわち、かかる正規化処理では、赤色発光を担う放電セルＰにおける最大階調（第１５階調）での輝度値を、白色明度１００％の表示を行う場合での赤色発光の輝度値（ＭＸＲ）に一致させるように、階調輝度対応データＫＹＲにて示される各値を全体的にレベルシフトさせて図１０に示す如き階調輝度対応データＲＡＲを得る。この際、かかるレベルシフトを行う際のゲイン値Ｓは、白色明度１００％の表示を行う場合での赤色発光の輝度値（ＭＸＲ）を階調輝度対応データＫＹＲにて示される最大階調（第１５階調）での輝度値（Ｋ１４Ｒ）で割った値（Ｇ２）によって決定される。そして、階調輝度対応データＫＹＧ及びＫＹＢに対しても同様に、このゲイン値Ｓにて各値のレベルシフトを実行し、図１０に示す如き階調輝度対応データＲＡＧ及びＲＡＢを夫々得る。
【００５３】
かかる正規化処理によれば、図１０に示すように、階調輝度対応データＲＡＧにおける第１５階調での正規化輝度値ＳＫ１４Ｇは、白色明度１００％の表示を行う場合での緑色発光の最大輝度値ＭＸＧよりも大となる。又、図１０に示すように、階調輝度対応データＲＡＲにおける第１５階調での正規化輝度値ＳＫ１４Ｒは、白色明度１００％の表示を行う場合での赤色発光の最大輝度値ＭＸＲと同一となる。又、図１０に示すように、階調輝度対応データＲＡＢにおける第１５階調での正規化輝度値ＳＫ１４Ｂは、白色明度１００％の表示を行う場合での青色発光の最大輝度値ＭＸＢよりも大となる。
【００５４】
よって、上記の如き正規化処理にて得られた階調輝度対応データＲＡＲ、ＲＡＧ、ＲＡＢにより、白色明度１００％での表示可能となる。
【００５５】
次に、輝度リニアリティ演算回路３２は、これら階調輝度対応データＲＡＲ、ＲＡＧ、及びＲＡＢを輝度階調変換回路３４に供給する。
【００５６】
2.2乗演算回路３３は、フレームメモリ２から読み出された画素データＰＤにて示される各画素毎の輝度レベル（１０ビット）を2.2乗し、その演算結果を各発光色、つまり赤色（Ｒ）、緑色（Ｇ）、青色（Ｂ）毎に１６ビットにて表す画素データＰＰＤＲ、ＰＰＤＧ及びＰＰＤＢを輝度階調変換回路３４に供給する。すなわち、2.2乗演算回路３３は、画素データＰＤに対して逆γ補正を施すのである。
【００５７】
尚、上述した如き上記階調輝度測定回路３１及び輝度リニアリティ演算回路３２の動作は、各フレーム毎に、図２に示す如きブランキング期間において実施される。よって、かかるブランキング期間において生成された階調輝度対応データＲＡＲ、ＲＡＧ及びＲＡＢ各々が輝度階調変換回路３４に取り込まれるのである。
【００５８】
輝度階調変換回路３４は、図１０に示す如く、各階調とその階調に対応した輝度値とを各発光色毎に示す階調輝度対応データＲＡＲ、ＲＡＧ及びＲＡＢに基づき、上記画素データＰＰＤＲ、ＰＰＤＧ及びＰＰＤＢ各々にて示される輝度値を、その輝度値に対応した階調を示す階調データＲＰＤＲ、ＲＰＤＧ及びＲＰＤＢに変換する。例えば、輝度階調変換回路３４は、赤色に対応した画素データＰＰＤＲによって示される輝度値が図１０に示すＹＲである場合には、赤色に対応した階調輝度対応データＲＡＲに基づき、この輝度値ＹＲに対応した第１１階調を表す階調データＲＰＤＲを得る。又、輝度階調変換回路３４は、緑色に対応した画素データＰＰＤＧによって示される輝度値が図１０に示すＹＧである場合には、緑色に対応した階調輝度対応データＲＡＧに基づき、この輝度値ＹＧに対応した第１２階調を表す階調データＲＰＤＧを得る。又、輝度階調変換回路３４は、青色に対応した画素データＰＰＤＢによって示される輝度値が図１０に示すＹＢである場合には、青色に対応した階調輝度対応データＲＡＢに基づき、この輝度値ＹＢに対応した第１２階調を表す階調データＲＰＤＢを得る。
【００５９】
輝度階調変換回路３４は、上記階調データＲＰＤＲ、ＲＰＤＧ、ＲＰＤＢ各々をディザ処理回路３５に供給する。
【００６０】
ディザ処理回路３５は、階調データＲＰＤＲ、ＲＰＤＧ、ＲＰＤＢ各々に対して、以下の如きディザ処理を施す。
【００６１】
すなわち、先ず、ディザ処理回路３５は、２行×２列の画素ブロック毎に、その画素ブロック内の各画素位置に対応した階調データＲＰＤＲ、ＲＰＤＧ、ＲＰＤＢに対して夫々異なるディザ値を割り当てて加算する。例えば、ディザ処理回路３５は、夫々異なる第１〜第４ディザ値を、その画素位置に対応した階調データＲＰＤＲ、ＲＰＤＧ、ＲＰＤＢに加算する。そして、ディザ処理回路３５は、夫々の加算結果の上位ビット群だけを抽出し、これを各画素に対応したＳＦデータＧＤとして、ＳＦメモリ４に供給する。
【００６２】
以上の如く、ＳＦデータ生成回路３では、先ず、各サブフィールドのサスティン行程各々でのサスティンパルス印加回数に応じて、放電セルにおける各階調毎の輝度レベルを求める。この際、互いに隣接するサブフィールド各々のサスティン行程の間に存在するアドレス行程でのアドレス実行期間長に応じた各放電セルの電子密度復帰率、及びサスティンパルスの立上期間を考慮して、図９に示す如く、各階調毎の輝度値を各発光色（赤、緑、青）毎に求める。次に、最高輝度を表現する階調での輝度値を正規化の基準点として、図１０に示す如く各階調毎の輝度値を各発光色（赤、緑、青）毎にレベルシフトさせたものを階調輝度対応データ（ＲＡ）として得る。そして、この階調輝度対応データによって表される輝度と各階調との対応関係に基づき、各画素データに基づく輝度を表現し得る階調を決定し、その階調に対応した発光駆動を実施させるべきＳＦデータを生成するのである。
【００６３】
よって、かかるＳＦデータの変換処理によれば、サブフィールド構造（各サブフィールド毎のアドレス実行期間、サスティンパルス印加回数、サスティンパルスの立ち上がり期間）から推定される各階調毎の輝度レベルに基づくホワイトバランスの適正化が為される。従って、発光駆動シーケンスの構造に拘わらず、表現し得る全ての階調に対して精度良くホワイトバランスの適正化が為されるようになる。
【００６４】
尚、輝度リニアリティ演算回路３２における正規化処理では、図９に示す如き輝度除算値Ｇ１〜Ｇ３の内で最大の値を、階調輝度対応データＫＹＲ、ＫＹＧ及びＫＹＢ各々をレベルシフトする際の共通のゲイン値Ｓとしているが、このゲイン値Ｓとしては、輝度除算値Ｇ１〜Ｇ３よりも大なる値に設定するようにしても良い。  要するに、各発光色毎の最大階調（第１５階調）での輝度値（Ｋ１４Ｒ、Ｋ１４Ｇ、Ｋ１４Ｂ）の全てが、夫々の色に対応した最大輝度値（ＭＸＲ、ＭＸＧ、ＭＸＢ）より大となるようなゲイン値Ｓにて、階調輝度対応データＫＹＲ、ＫＹＧ及びＫＹＢ各々をレベルシフトすれば、画素データにて表現可能な白色明度１００％の輝度表示が可能となるのである。ところが、白色明度１００％での最大輝度値（ＭＸ）よりも、最大階調（第１５階調）での輝度値（Ｋ１４）が大となると、輝度値０〜最大輝度値（ＭＸ）の輝度レンジに対して割り当てられる階調数が少なくなる。例えば、図１０に示す如く、緑色発光での最大輝度値ＭＸＧが第１５階調での輝度値（Ｋ１４Ｇ）よりも大となったが故に、この最大輝度値ＭＸＧが第１３階調での輝度値（Ｋ１２Ｇ）に相当するようになってしまった場合には、第１４階調及び第１５階調各々での駆動は実質的に為されなくなる。すなわち、緑色発光では、輝度値０〜最大輝度値ＭＸＧの輝度レンジに対して割り当てられる階調数は１３（第１〜第１３階調）となり、本来、割り当て可能な階調数である１５（第１〜第１５階調）よりも少なくなる。
【００６５】
ただし、図９及び図１０に示されるように、輝度除算値Ｇ１〜Ｇ３の内で最大の値をゲイン値Ｓとすれば、各発光色の内の少なくとも１の色に対しては、輝度値０〜最大輝度値（ＭＸ）の輝度レンジに対して、全ての階調（第１〜第１５階調）を割り当てることが可能となる。
【００６６】
又、輝度リニアリティ演算回路３２は、階調輝度対応データ（ＫＹＲ、ＫＹＧ、ＫＹＢ）にて示される各発光色毎の最大階調（第１５階調）での輝度値（Ｋ１４Ｒ、Ｋ１４Ｇ、Ｋ１４Ｂ）の全てが、夫々の色に対応した最大輝度値ＭＸＲ、ＭＸＧ、ＭＸＢより大である場合には、上述した如き正規化処理は不要となる。よって、この際、輝度リニアリティ演算回路３２は、階調輝度対応データＫＹＲ、ＫＹＧ、ＫＹＢ各々を、そのまま階調輝度対応データＲＡＲ、ＲＡＧ、ＲＡＢとして輝度階調変換回路３４に供給する。
【００６７】
尚、輝度リニアリティ演算回路３２は、階調輝度対応データ（ＫＹＲ、ＫＹＧ、ＫＹＢ）にて示される各発光色毎の最大階調（第１５階調）での輝度値（Ｋ１４Ｒ、Ｋ１４Ｇ、Ｋ１４Ｂ）の全てが、夫々の色に対応した最大輝度値ＭＸＲ、ＭＸＧ、ＭＸＢより小である場合には、以下の如き正規化処理を実施するようにしても良い。
【００６８】
すなわち、輝度リニアリティ演算回路３２は、図９に示す如き輝度除算値Ｇ１〜Ｇ３の内で最も小なる値に対応したゲイン値Ｓ（Ｓ＜１）にて、階調輝度対応データＫＹＲ、ＫＹＧ、及びＫＹＢ各々にて示される各輝度値をレベルシフトして階調輝度対応データＲＡＲ、ＲＡＧ、及びＲＡＢを生成する。これにより、図１０に示す如く、各発光色の内の１の発光色（赤色）に対応した階調輝度対応データＲＡにて示される最大階調（第１５階調）での輝度値（ＳＫ１４）は、その色に対応した最大輝度値ＭＸと等しくなる。一方、他の発光色（緑色、青色）に対応した階調輝度対応データＲＡにて示される最大階調（第１５階調）での輝度値（ＳＫ１４）が、その色に対応した最大輝度値ＭＸよりも大となる。
【００６９】
又、上記階調輝度測定回路３１では、各サブフィールド毎のサスティンパルス印加回数に基づき、各色毎の輝度飽和特性を考慮することにより、各階調毎の輝度値を示す輝度階調対応データＫＹＲ、ＫＹＧ、ＫＹＢを生成しているが、以下の如き方法で輝度階調対応データＫＹＲ、ＫＹＧ、ＫＹＢを生成するようにしても良い。
【００７０】
すなわち、階調輝度測定回路３１は、先ず、上記ＳＦ構築データＳＦＰＤに基づき、各階調毎にその階調でサスティン放電を生起させることになるサブフィールドＳＦにおいて印加されるサスティンパルスの１フレーム表示期間内での合計数を求める。例えば、階調輝度測定回路３１は、図１１に示す如き第１〜第１５階調各々に対応したサスティンパルスの合計数Ｍ１〜Ｍ１５、つまり、
Ｍ１：０
Ｍ２：ＳＦ１で印加されるサスティンパルスの数
Ｍ３：ＳＦ１及びＳＦ２各々で印加されるサスティンパルスの合計数
Ｍ４：ＳＦ１〜ＳＦ３各々で印加されるサスティンパルスの合計数
Ｍ５：ＳＦ１〜ＳＦ４各々で印加されるサスティンパルスの合計数
・
・
・
Ｍ１３：ＳＦ１〜ＳＦ１２各々で印加されるサスティンパルスの合計数
Ｍ１４：ＳＦ１〜ＳＦ１３各々で印加されるサスティンパルスの合計数
Ｍ１５：ＳＦ１〜ＳＦ１４各々で印加されるサスティンパルスの合計数
を求める。
【００７１】
次に、階調輝度測定回路３１は、図１２に示す如き、上述した如きサスティンパルスの合計数Ｍと、上記ゲイン値Ｓとを対応付けして各色毎に示すゲイン値マップに基づき、各階調に対応したゲイン値Ｓを取得する。
【００７２】
すなわち、ＰＤＰ１０における蛍光体の各色毎の輝度飽和特性を予め測定しておき、その測定結果に基づき、サスティンパルスの合計数Ｍに対応した最適なゲイン値Ｓを示すゲイン値マップを作成しておく。このゲイン値マップはプラズマディスプレイ装置の内蔵メモリ（図示せぬ）に予め記憶しておく。よって、階調輝度測定回路３１は、かかる内蔵メモリから各階調に対応したゲイン値Ｓを各色（赤、緑、青）毎に読み出す。
【００７３】
次に、階調輝度測定回路３１は、各色毎のゲイン値Ｓを図１１に示す如き第１〜第１５階調各々に対応したサスティンパルスの合計数Ｍ１〜Ｍ１５に乗算することにより、図９に示す如き、各色毎の輝度階調対応データＫＹＲ、ＫＹＧ、ＫＹＢを得る。
【００７４】
尚、上記実施例ではサス立ち上がり期間ＴＳ１〜ＴＳ３に応じて、各輝度区切値Ｑ１に対して係数を乗算して新たな輝度区切値Ｑ１を求める例を示したが、これは、サス立上期間ＴＳの長さによって発光輝度が変化することを考慮したものによる。しかしながら、この発光輝度の変化は、サス立ち上がり期間ＴＳの変化のみならず、サスティンパルスのパルス幅の変化、或いはパルス波形の変化にも起因している。
【００７５】
そこで、このサスティンパルスのパルス幅の変化やパルス波形の形状変化を考慮して、上記係数と同様の係数（以下、係数ＳＳと称する）を輝度区切値に乗算して新たな輝度区切値を求めてもよい。
【００７６】
この波形形状の変化の例としては、例えば、表示パネルの発光負荷量によってもサスティンパルスの波形は変化する。ここで発光負荷とは、アドレス行程で点灯モードに設定されたサブフィールドに割り当てられているサスティンパルスの総数である。すなわち、階調表示に寄与するサスティンパルスの総数であり、表示パネルにおける画面全体で高輝度表示を実施する程、発光負荷量が大となる。ここで、発光負荷量が大なるほど、サスティン行程においてサスティン放電が生起される放電セルの数が多くなるが、その場合多くの放電セルで略同時に放電が発生することとなる。この際、瞬間的に大電流が流れるのでサスティンパルスの波形が歪み、このサスティンパルスの波形歪みにより発光輝度が下がる方向に変化する。
【００７７】
以上の点を考慮して、例えば１フィールド毎にアドレスデータから発光負荷を得て、発光負荷量に応じて、係数ＳＳを設定する。例えば、表示パネルを駆動した際の発光負荷量が所定発光負荷量以下の場合は係数ＳＳを「１」とする一方、所定の発光負荷量を超えた場合には、
０＜係数ＳＳ＜１
なる範囲内で係数ＳＳを設定する。或いは、発光負荷量に応じて、係数ＳＳを「０」〜「１」なる範囲内で段階的に設定するようにしても良い。この場合、発光負荷量が大なるほど、係数ＳＳを小なる値に設定する。又、サスティンパルスの幅が所定の幅よりも狭くなる場合に、係数ＳＳを「０」〜「１」なる範囲内で段階的に設定するようにしても良い
又、各サブフィールド内のサスティンパルスにおいても、各サスティンパルスに応じて生起されるサスティン放電に伴う発光輝度に差異が生じる場合がある。例えば、先頭に設けられたサスティンパルスに応じて生起されるサスティン放電に伴う発光輝度は、後方に設けられたサスティンパルスに応じて生起されるサスティン放電に伴う発光輝度よりも低い場合がある。これは、サスティン放電の直前の段階で放電空間内に残存する荷電粒子の量が、サスティン行程の後尾部よりも先頭部の方が少ないことに起因する。
【００７８】
そこで、各サスティンパルスのサス立ち上がり期間、そのパルス幅の変化、パルス波形の形状変化をそれぞれ考慮して上記係数ＳＳを設定してもよい。
【００７９】
例えば、上記で説明した例で述べると、各サスティン行程の先頭部で生起されるサスティン放電は後方で生起されるサスティン放電に比べてその放電に伴う発光輝度が低い。そこで、係数ＳＳを設定するに当たり、先頭のサスティンパルスの立ち上がり期間の変化、パルス幅の変化、波形形状の変化については、後方のサスティンパルスの変化に比べて、係数ＳＳを設定する際の重みを小とする。一方、後方のサスティンパルスの上述した各変化に対しては、重みを大とする。つまり、後方のサスティンパルスの各変化の変化量を主として係数ＳＳの設定を行う。
【図面の簡単な説明】
【００８０】
【図１】本発明による駆動装置を含むプラズマディスプレイ装置の構成を示す図である。
【図２】図１に示されるプラズマディスプレイ装置において採用される発光駆動シーケンスの一例を示す図である。
【図３】ＳＦ構築データＳＦＰＤにおいて各サブフィールド毎に示される情報（サスティンパルス印加回数、アドレス実行期間、サス立上期間）の一例を示す図である。
【図４】図２に示す発光駆動シーケンスに従ってＰＤＰ１０に印加される各種駆動パルスとその印加タイミングを示す図である。
【図５】ＳＦデータ生成回路３の内部構成を示す図である。
【図６】サスティンパルスの印加回数と視覚輝度との対応関係を各発光色毎に示す図である。
【図７】アドレス実行期間長と電子密度復帰率との対応関係を各発光色毎に示す図である。
【図８】サスティンパルスの印加回数及びアドレス実行期間長に基づき、各サブフィールド毎に予測される視覚輝度を求める動作を説明する為の図である。
【図９】各階調及びディザステップでの輝度値を各発光色毎に示す階調輝度対応データＫＹＲ、ＫＹＧ、及びＫＹＢの一例を示す図である。
【図１０】各階調及びディザステップでの正規化輝度を各発光色毎に示す階調輝度対応データＲＡＲ、ＲＡＧ、及びＲＡＢの一例を示す図である。
【図１１】各階調毎に、その階調でサスティン放電を生起させることになるサブフィールドＳＦにおいて印加されるサスティンパルスの１フレーム表示期間内での合計数を示す図である。
【図１２】サスティンパルス合計数Ｍに対応したゲイン値Ｓを各色毎に示すゲイン値マップの一例を示す図である。
【符号の説明】
【００８１】
３    ＳＦデータ生成回路
１０  ＰＤＰ
１１  ＳＦ構築回路
２０  駆動制御回路
３１  階調輝度測定回路
３２  輝度リニアリティ演算回路
３４  輝度階調変換回路
【図１】
2008209590.tif 000003
【図２】
2008209590.tif 000004
【図３】
2008209590.tif 000005
【図４】
2008209590.tif 000006
【図５】
2008209590.tif 000007
【図６】
2008209590.tif 000008
【図７】
2008209590.tif 000009
【図８】
2008209590.tif 000010
【図９】
2008209590.tif 000011
【図１０】
2008209590.tif 000012
【図１１】
2008209590.tif 000013
【図１２】
2008209590.tif 000014